(57)【要約】【課題】高周波特性の微調整が可能なコモンモードフィルタを提供する。【解決手段】巻芯部２３と、巻芯部２３に同方向に巻回された第１及び第２のワイヤＷ１，Ｗ２とを備える。第１のワイヤＷ１の所定の１ターンは、第２のワイヤＷ２の所定の１ターンと２回以上交差する。本発明によれば、第１及び第２のワイヤＷ１，Ｗ２が同一ターンにおいて複数回交差していることから、交差回数や交差位置によって、コモンモードフィルタの高周波特性を微調整することが可能となる。【選択図】図３
2019121693.tif 000002
【特許請求の範囲】
【請求項１】
巻芯部と、
前記巻芯部に同方向に巻回された第１及び第２のワイヤと、を備え、
前記第１のワイヤの所定の１ターンは、前記第２のワイヤの所定の１ターンと２回以上交差することを特徴とするコモンモードフィルタ。
【請求項２】
前記第１のワイヤの前記所定の１ターンと前記第２のワイヤの前記所定の１ターンは、前記第１及び第２のワイヤの一方がいずれも上側、前記第１及び第２のワイヤの他方がいずれも下側となるよう、２回以上交差することを特徴とする請求項１に記載のコモンモードフィルタ。
【請求項３】
前記巻芯部は、軸方向における一端側に位置する第１の巻回領域と、前記軸方向における他端側に位置する第２の巻回領域と、前記第１及び第２の巻回領域の間に位置する第３の巻回領域とを含み、
前記第１及び第２のワイヤは、前記第１の巻回領域に巻回された第１の巻回ブロックと、前記第２の巻回領域に巻回された第２の巻回ブロックを構成し、
前記第１のワイヤと前記第２のワイヤは、前記第３の巻回領域において互いに交差しており、
前記第１のワイヤの前記所定の１ターンと前記第２のワイヤの前記所定の１ターンは、前記第１の巻回ブロックに含まれることを特徴とする請求項１又は２に記載のコモンモードフィルタ。
【請求項４】
前記第１及び第２の巻回ブロックは、下層に位置する第１の巻回層と、前記第１の巻回層の上層に位置する第２の巻回層を有し、
前記第１の巻回ブロックは、前記第１及び第２のワイヤの一方が前記第１の巻回層に位置し、前記第１及び第２のワイヤの他方が前記第２の巻回層に位置する第１のレイヤー部と、前記第１及び第２のワイヤがいずれも前記第１の巻回層に位置する非レイヤー部とを含み、
前記第１のワイヤの前記所定の１ターンと前記第２のワイヤの前記所定の１ターンは、前記非レイヤー部に含まれることを特徴とする請求項３に記載のコモンモードフィルタ。
【請求項５】
前記第２の巻回ブロックは、前記第１及び第２のワイヤの一方が前記第１の巻回層に位置し、前記第１及び第２のワイヤの他方が前記第２の巻回層に位置する第２のレイヤー部を含むことを特徴とする請求項４に記載のコモンモードフィルタ。
【請求項６】
前記第１のレイヤー部のターン数と前記第２のレイヤー部のターン数が等しいことを特徴とする請求項５に記載のコモンモードフィルタ。
【請求項７】
前記第１のレイヤー部においては、前記第１のワイヤが前記第１の巻回層に位置し、前記第２のワイヤが前記第２の巻回層に位置し、
前記第２のレイヤー部においては、前記第１のワイヤが前記第２の巻回層に位置し、前記第２のワイヤが前記第１の巻回層に位置することを特徴とする請求項５又は６に記載のコモンモードフィルタ。
【請求項８】
前記巻芯部の前記軸方向における前記一端に設けられた第１の鍔部と、
前記巻芯部の前記軸方向における前記他端に設けられた第２の鍔部と、
前記第１の鍔部に設けられ、前記第１及び第２のワイヤの一端がそれぞれ接続された第１及び第２の端子電極と、
前記第２の鍔部に設けられ、前記第１及び第２のワイヤの他端がそれぞれ接続された第３及び第４の端子電極と、をさらに備え、
前記非レイヤー部は、前記第１及び第２のワイヤの前記一端と前記第１のレイヤー部との間に位置することを特徴とする請求項５乃至７のいずれか一項に記載のコモンモードフィルタ。
【請求項９】
前記第１の巻回ブロックにおいては前記第１のワイヤと前記第２のワイヤは偶数回交差しており、前記第２の巻回ブロックにおいては、前記第１及び第２のワイヤの前記他端に最も近い最終ターンにて、前記第１のワイヤと前記第２のワイヤが１回交差することを特徴とする請求項８に記載のコモンモードフィルタ。
【発明の詳細な説明】
【技術分野】
【０００１】
本発明はコモンモードフィルタに関し、特に、高周波特性の微調整が可能なコモンモードフィルタに関する。
【背景技術】
【０００２】
コモンモードフィルタは、差動信号線路に重畳するコモンモードノイズを除去するための素子として、携帯電子機器や車載用ＬＡＮなど、多くの電子機器に幅広く使用されている。近年においては、トロイダル型のコアを用いたコモンモードフィルタに代わって、表面実装が可能なドラム型のコアを用いたコモンモードフィルタが主流である（特許文献１参照）。
【０００３】
特許文献１に記載されたコモンモードフィルタは、一対のワイヤを途中で交差させることによって、高周波領域における差動信号の対称性を高めている。
【先行技術文献】
【特許文献】
【０００４】
【特許文献１】特開２０１４−１９９９０４号公報
【発明の概要】
【発明が解決しようとする課題】
【０００５】
しかしながら、ワイヤを途中で交差させると、一対のワイヤの位置関係が逆転することから、高周波特性が大きく変化する。このため、一対のワイヤを単に１回交差させる方法では、高周波特性を微調整することは困難である。
【０００６】
したがって、本発明は、高周波特性の微調整が可能なコモンモードフィルタを提供することを目的とする。
【課題を解決するための手段】
【０００７】
本発明によるコモンモードフィルタは、巻芯部と、巻芯部に同方向に巻回された第１及び第２のワイヤと、を備え、第１のワイヤの所定の１ターンは、第２のワイヤの所定の１ターンと２回以上交差することを特徴とする。
【０００８】
本発明によれば、第１及び第２のワイヤが同一ターンにおいて複数回交差していることから、交差回数や交差位置によって、コモンモードフィルタの高周波特性を微調整することが可能となる。
【０００９】
本発明において、第１のワイヤの所定の１ターンと第２のワイヤの所定の１ターンは、第１及び第２のワイヤの一方がいずれも上側、第１及び第２のワイヤの他方がいずれも下側となるよう、２回以上交差しても構わない。これによれば、第１のワイヤと第２のワイヤを撚ることなく、同一ターンにおいて複数回交差させることができる。
【００１０】
本発明において、巻芯部は、軸方向における一端側に位置する第１の巻回領域と、軸方向における他端側に位置する第２の巻回領域と、第１及び第２の巻回領域の間に位置する第３の巻回領域とを含み、第１及び第２のワイヤは、第１の巻回領域に巻回された第１の巻回ブロックと、第２の巻回領域に巻回された第２の巻回ブロックを構成し、第１のワイヤと第２のワイヤは、第３の巻回領域において互いに交差しており、第１のワイヤの所定の１ターンと第２のワイヤの所定の１ターンは、第１の巻回ブロックに含まれていても構わない。これによれば、第１の巻回ブロックと第２の巻回ブロックの対称性が高まることから、良好な高周波特性を得ることが可能となる。
【００１１】
本発明において、第１及び第２の巻回ブロックは、下層に位置する第１の巻回層と、第１の巻回層の上層に位置する第２の巻回層を有し、第１の巻回ブロックは、第１及び第２のワイヤの一方が第１の巻回層に位置し、第１及び第２のワイヤの他方が第２の巻回層に位置する第１のレイヤー部と、第１及び第２のワイヤがいずれも第１の巻回層に位置する非レイヤー部とを含み、第１のワイヤの所定の１ターンと第２のワイヤの所定の１ターンは、非レイヤー部に含まれるものであっても構わない。これによれば、非レイヤー部を設けることによって、第１のワイヤと第２のワイヤの間に生じる容量成分の付き方が変化する。具体的なメカニズムについては不明であるが、この変化により、一方の端部においては一対のワイヤが交差し、他方の端部においては一対のワイヤが交差しないという差が存在している場合であっても、この差に起因するアンバランスが緩和され、その結果、反射特性を改善することが可能となる。しかも、非レイヤー部において第１及び第２のワイヤを複数回交差させていることから、ノイズ変換特性（例えばＳｓｄ２１特性）も向上する。
【００１２】
本発明において、第２の巻回ブロックは、第１及び第２のワイヤの一方が第１の巻回層に位置し、第１及び第２のワイヤの他方が第２の巻回層に位置する第２のレイヤー部を含むものであっても構わない。これによれば、第１の巻回ブロックと第２の巻回ブロックの対称性が高まることから、より良好な高周波特性を得ることが可能となる。
【００１３】
本発明において、第１のレイヤー部のターン数と第２のレイヤー部のターン数が等しくても構わない。これによれば、第１及び第２のワイヤがクロスする部分を対称軸として、第１のレイヤー部と第２のレイヤー部が対称形となることから、よりいっそう優れた高周波特性を得ることが可能となる。
【００１４】
本発明において、第１のレイヤー部においては、第１のワイヤが第１の巻回層に位置し、第２のワイヤが第２の巻回層に位置し、第２のレイヤー部においては、第１のワイヤが第２の巻回層に位置し、第２のワイヤが第１の巻回層に位置しても構わない。これによれば、第１のワイヤと第２のワイヤの長さの差を小さくすることが可能となる。
【００１５】
本発明によるコモンモードフィルタは、巻芯部の軸方向における一端に設けられた第１の鍔部と、巻芯部の軸方向における他端に設けられた第２の鍔部と、第１の鍔部に設けられ、第１及び第２のワイヤの一端がそれぞれ接続された第１及び第２の端子電極と、第２の鍔部に設けられ、第１及び第２のワイヤの他端がそれぞれ接続された第３及び第４の端子電極と、をさらに備え、非レイヤー部は、第１及び第２のワイヤの一端と第１のレイヤー部との間に位置するものであっても構わない。これによれば、第１及び第２のワイヤの一端近傍における容量成分の付き方を変化させることが可能となる。
【００１６】
本発明において、第１の巻回ブロックにおいては第１のワイヤと第２のワイヤは偶数回交差しており、第２の巻回ブロックにおいては、第１及び第２のワイヤの他端に最も近い最終ターンにて、第１のワイヤと第２のワイヤが１回交差するものであっても構わない。これによれば、第１及び第２のワイヤの所定のターンの前後において、第１のワイヤと第２のワイヤの位置関係が変化しないことから、高周波特性を微調整することが可能となる。
【発明の効果】
【００１７】
このように、本発明によれば、高周波特性の微調整が可能なコモンモードフィルタを提供することが可能となる。
【図面の簡単な説明】
【００１８】
【図１】図１は、本発明の好ましい実施形態によるコモンモードフィルタ１０の外観を示す略斜視図である。
【図２】図２は、第１及び第２のワイヤＷ１，Ｗ２の巻回レイアウトをより詳細に説明するための模式図である。
【図３】図３は、巻芯部２３の展開図であり、非レイヤー部ＮＬが巻回された部分を示している。
【図４】図４は、非レイヤー部ＮＬの巻回パターンの変形例を示す展開図である。
【図５】図５は、非レイヤー部ＮＬの巻回パターンの別の変形例を示す展開図である。
【図６】図６は、第２４ターンにて第１のワイヤＷ１と第２のワイヤＷ２が交差する様子を説明するための模式図である。
【図７】図７は、第２４ターンにて第１のワイヤＷ１と第２のワイヤＷ２が交差する様子を説明するための別の模式図である。
【図８】図８は、第２４ターンにて第１のワイヤＷ１と第２のワイヤＷ２が交差する様子を説明するためのさらに別の模式図である。
【図９】図９は、第１の変形例によるコモンモードフィルタ１０Ａの巻回レイアウトを説明するための模式図である。
【図１０】図１０は、第２の変形例によるコモンモードフィルタ１０Ｂの巻回レイアウトを説明するための模式図である。
【図１１】図１１は、第３の変形例によるコモンモードフィルタ１０Ｃの巻回レイアウトを説明するための模式図である。
【図１２】図１２は、第３の変形例における非レイヤー部ＮＬの巻回パターンの一例を示す展開図である。
【図１３】図１３は、第４の変形例によるコモンモードフィルタ１０Ｄの巻回レイアウトを説明するための模式図である。
【発明を実施するための形態】
【００１９】
以下、添付図面を参照しながら、本発明の好ましい実施形態について詳細に説明する。
【００２０】
図１は、本発明の好ましい実施形態によるコモンモードフィルタ１０の外観を示す略斜視図である。
【００２１】
図１に示すように、本実施形態によるコモンモードフィルタ１０は、ドラム型コア２０と、板状コア３０と、第１〜第４の端子電極４１〜４４と、第１及び第２のワイヤＷ１，Ｗ２とを備えている。ドラム型コア２０及び板状コア３０は、Ｎｉ−Ｚｎ系フェライトなど比較的透磁率の高い磁性材料によって構成される。また、第１〜第４の端子電極４１〜４４は、銅などの良導体からなる金具である。第１〜第４の端子電極４１〜４４は、ドラム型コア２０に銀ペーストなどを直接焼き付けたものであっても構わない。
【００２２】
ドラム型コア２０は、第１の鍔部２１と、第２の鍔部２２と、これらの間に設けられた巻芯部２３と有している。巻芯部２３はｘ方向を軸方向とし、その両端にそれぞれ第１及び第２の鍔部２１，２２が設けられ、これらが一体化された構造を有している。板状コア３０は、鍔部２１，２２の上面２１ｔ，２２ｔに接着されている。鍔部２１，２２の上面２１ｔ，２２ｔはｘｙ平面を構成し、その反対側の面は実装面２１ｂ，２２ｂとして用いられる。そして、第１及び第２の端子電極４１，４２は、第１の鍔部２１の実装面２１ｂ及び外側面２１ｓに設けられ、第３及び第４の端子電極４３，４４は、第２の鍔部２２の実装面２２ｂ及び外側面２２ｓに設けられている。外側面２１ｓ，２２ｓは、ｙｚ面を構成する。第１〜第４の端子電極４１〜４４の固定は、接着剤などによって行われる。
【００２３】
第１及び第２のワイヤＷ１，Ｗ２は、巻芯部２３に同方向に巻回されている。そして、第１のワイヤＷ１の一端及び他端はそれぞれ第１及び第３の端子電極４１，４３に接続され、第２のワイヤＷ２の一端及び他端はそれぞれ第２及び第４の端子電極４２，４４に接続される。第１及び第２のワイヤＷ１，Ｗ２のターン数は、互いに同じである。
【００２４】
図１に示すように、ドラム型コア２０の巻芯部２３は、第１の鍔部２１側に位置する第１の巻回領域Ａ１と、第２の鍔部２２側に位置する第２の巻回領域Ａ２と、第１及び第２の巻回領域Ａ１，Ａ２の間に位置する第３の巻回領域Ａ３を含む。そして、第１及び第２のワイヤＷ１，Ｗ２は、第１及び第２の巻回領域Ａ１，Ａ２において整列して巻回されているとともに、第３の巻回領域Ａ３にて互いに交差している。第１及び第２のワイヤＷ１，Ｗ２が交差すると、その前後において第１及び第２のワイヤＷ１，Ｗ２の位置関係が変化する。
【００２５】
図２は、第１及び第２のワイヤＷ１，Ｗ２の巻回レイアウトをより詳細に説明するための模式図である。
【００２６】
図２に示すように、第１及び第２のワイヤＷ１，Ｗ２は、第１の巻回領域Ａ１に巻回された第１の巻回ブロックＢ１と、第２の巻回領域Ａ２に巻回された第２の巻回ブロックＢ２を構成しており、上述の通り、第３の巻回領域Ａ３にて互いに交差している。図２に示す例では、第１及び第２のワイヤＷ１，Ｗ２がいずれも第１ターンから第２４ターンからなる２４ターン構成であるが、本発明がこれに限定されるものではない。また、第１及び第２の巻回ブロックＢ１，Ｂ２は、いずれも２層構造を有している。つまり、下層に位置し、巻芯部２３に直接巻回された第１の巻回層Ｓ１と、第１の巻回層Ｓ１の上層に位置し、第１の巻回層Ｓ１を介して巻芯部２３に巻回された第２の巻回層Ｓ２を有している。
【００２７】
そして、第１の巻回ブロックＢ１は、第１のワイヤＷ１が第１の巻回層Ｓ１（下層）に位置し、第２のワイヤＷ２が第２の巻回層Ｓ２（上層）に位置する第１のレイヤー部Ｌ１と、非レイヤー部ＮＬを含んでいる。本実施形態においては、第１及び第２の端子電極４１，４２を始点としてターン数を数えた場合、第１及び第２のワイヤＷ１，Ｗ２の第１ターンが非レイヤー部ＮＬを構成し、第１のワイヤＷ１の第２ターン〜第１２ターンと第２のワイヤＷ２の第２ターン〜第１１ターンが第１のレイヤー部Ｌ１を構成している。また、第２のワイヤＷ２の第１２ターンは第１の巻回層Ｓ１に位置しているが、第２のワイヤＷ２の第１２ターンを第１のレイヤー部Ｌ１の一部と見なしても構わない。これは、２層構造のワイヤを安定させるためには、下層に位置するワイヤの谷線に沿って上層のワイヤを巻回する必要があり、このため、下層に位置するワイヤのターン数よりも上層に位置するワイヤのターン数が１ターン少なくなるからであり、第２のワイヤＷ２の第１２ターンはこれに該当する。
【００２８】
図３は、巻芯部２３の展開図であり、非レイヤー部ＮＬが巻回された部分を示している。
【００２９】
図３に示す例では、第１及び第２のワイヤＷ１，Ｗ２が非レイヤー部ＮＬにおいて２回交差する。図３において、巻芯部２３の側面２３Ａ，２３Ｃはｘｚ面であり、上面２３Ｂ及び下面２３Ｄはｘｙ面である。上面２３Ｂは、鍔部２１，２２の上面２１ｔ，２２ｔと同方向を向いており、下面２３Ｄは、鍔部２１，２２の実装面２１ｂ，２２ｂと同方向を向いている。そして、図３に示す例では、上面２３Ｂ及び側面２３Ｃにおいて、第１のワイヤＷ１と第２のワイヤＷ２が交差している。このように、非レイヤー部ＮＬにおいては、第１のワイヤＷ１と第２のワイヤＷ２が２回交差するため、交差部分において上側に位置するワイヤが局所的に第１の巻回層Ｓ１（下層）から離れるが、非レイヤー部ＮＬにおいては、基本的に、第１及び第２のワイヤＷ１，Ｗ２はいずれも第１の巻回層Ｓ１（下層）に位置している。特に、ｘ方向に延在する巻芯部２３のエッジ部においては、非レイヤー部ＮＬを構成する第１及び第２のワイヤＷ１，Ｗ２の両方が巻芯部２３と接し、第１の巻回層Ｓ１を構成する。この点において、第１のワイヤＷ１とは相違している。
【００３０】
非レイヤー部ＮＬにおいては、第１及び第２のワイヤＷ１，Ｗ２が２回交差することから、第１のワイヤＷ１と第２のワイヤＷ２の位置関係は、局所的に入れ替わるものの、結果的には元に戻る。図３に示す例では、２回の交差位置のいずれにおいても、第１のワイヤＷ１が下側、第２のワイヤＷ２が上側に位置しているが、上下関係は逆であっても構わない。いずれにしても、第１及び第２のワイヤＷ１，Ｗ２の一方がいずれも上側、第１及び第２のワイヤＷ１，Ｗ２の他方がいずれも下側となるよう、２回交差させれば、第１のワイヤＷ１と第２のワイヤＷ２を撚ることなく、巻回することができる。また、ワイヤが交差する上面２３Ｂと側面２３Ｃの境界には、ｘ方向に延在する巻芯部２３のエッジが存在し、この部分で第１及び第２のワイヤＷ１，Ｗ２が固定されることから、第１のワイヤＷ１と第２のワイヤＷ２を撚らなくても、交差が解除されることはない。
【００３１】
非レイヤー部ＮＬにおける第１のワイヤＷ１と第２のワイヤＷ２の交差位置は、図３に示す位置に限定されるものではなく、例えば、図４に示すように上面２３Ｂ及び下面２３Ｄ上で第１のワイヤＷ１と第２のワイヤＷ２を交差させても構わない。つまり、どの面上で第１のワイヤＷ１と第２のワイヤＷ２を交差させるかは任意である。尚、１つの面上で第１のワイヤＷ１と第２のワイヤＷ２を２回交差させても構わないが、この場合は、当該面上で交差が解除されないよう、巻芯部２３に設けた突起などを用いて第１及び第２のワイヤＷ１，Ｗ２を位置決めするか、或いは、第１及び第２のワイヤＷ１，Ｗ２を撚るなどの工夫が必要となる。
【００３２】
さらに、非レイヤー部ＮＬにおける第１のワイヤＷ１と第２のワイヤＷ２の交差回数は、２回に限定されるものではなく、図５に示すように４回であっても構わない。図４に示す例では、側面２３Ａ，２３Ｃ、上面２３Ｂ及び下面２３Ｄの全ての面上で第１のワイヤＷ１と第２のワイヤＷ２が交差している。この場合も、交差回数が偶数であることから、第１のワイヤＷ１と第２のワイヤＷ２の位置関係は、結果的に元に戻る。さらに、図示しないが、巻芯部２３の断面形状を６角形とし、非レイヤー部ＮＬにおいて第１のワイヤＷ１と第２のワイヤＷ２を６回交差させても構わない。
【００３３】
このように、非レイヤー部ＮＬにおける第１のワイヤＷ１と第２のワイヤＷ２の交差位置及び交差回数は限定されず、交差位置及び交差回数によって高周波特性が微妙に変化する。したがって、目的とする高周波特性に応じて、交差位置及び交差回数を選択すれば良い。
【００３４】
一方、第２の巻回ブロックＢ２は、第１のワイヤＷ１が第１の巻回層Ｓ１（下層）に位置し、第２のワイヤＷ２が第２の巻回層Ｓ２（上層）に位置する第２のレイヤー部Ｌ２を有し、非レイヤー部を有していない。第２のレイヤー部Ｌ２は、第１のワイヤＷ１の第１４ターン〜第２４ターンと第２のワイヤＷ２の第１５ターン〜第２４ターンによって構成される。また、第２のワイヤＷ２の第１４ターンは第１の巻回層Ｓ１に位置しているが、上述した理由から、これを第２のレイヤー部Ｌ２の一部と見なしても構わない。
【００３５】
かかる構成により、第１の巻回ブロックＢ１においては、第１の巻回層Ｓ１（下層）のターン数は１４、第２の巻回層Ｓ２（上層）のターン数は１０であり、その差は４である。一方、第２の巻回ブロックＢ２においては、第１の巻回層Ｓ１（下層）のターン数は１２、第２の巻回層Ｓ２（上層）のターン数は１０であり、その差は２である。このように、本実施形態においては、第１の巻回層Ｓ１と第２の巻回層Ｓ２のターン数の差は、第２の巻回ブロックＢ２よりも第１の巻回ブロックＢ１の方が２ターン多い。この２ターンの差は、すなわち非レイヤー部ＮＬの存在によるものである。非レイヤー部ＮＬにおいては、第１のワイヤＷ１と第２のワイヤＷ２との間に生じる容量成分の付き方が第１及び第２のレイヤー部Ｌ１，Ｌ２とは相違する。
【００３６】
そして、第１及び第２のワイヤＷ１，Ｗ２の第１３ターンは、第３の巻回領域Ａ３において互いに交差している。第１及び第２のワイヤＷ１，Ｗ２が交差すると、その前後において第１のワイヤＷ１と第２のワイヤＷ２の位置関係が逆転する。具体的には、第１のワイヤＷ１と第２のワイヤＷ２の同一ターンに着目すると、第１の巻回ブロックＢ１の第１のレイヤー部Ｌ１においては、第１のワイヤＷ１が図２における左側（第１の鍔部２１側）、第２のワイヤＷ２が図２における右側（第２の鍔部２２側）に位置するのに対し、第２の巻回ブロックＢ２においては、第１のワイヤＷ１が右側（第２の鍔部２２側）、第２のワイヤＷ２が左側（第１の鍔部２１側）に位置している。これにより、第３の巻回領域Ａ３を対称軸として、第１のレイヤー部Ｌ１と第２のレイヤー部Ｌ２が対称形となることから、第１のワイヤＷ１を流れる信号と第２のワイヤＷ２を流れる信号の対称性が高まり、その結果、優れた高周波特性を得ることが可能となる。しかも、本実施形態においては、第１のレイヤー部Ｌ１のターン数と第２のレイヤー部Ｌ２のターン数が等しいことから、非常に優れた高周波特性を得ることができる。
【００３７】
図１に示すように、本実施形態においては、第１のワイヤＷ１が接続される第１及び第３の端子電極４１，４３のｙ方向位置は同じであり、且つ、第２のワイヤＷ２が接続される第２及び第４の端子電極４２，４４のｙ方向位置は同じである。そして、図１に示す矢印Ｖから見て、第１のワイヤＷ１が接続される第１及び第３の端子電極４１，４３は右側に位置し、第２のワイヤＷ２が接続される第２及び第４の端子電極４２，４４は左側に位置する。このため、第１及び第２の端子電極４１，４２を始点として、第１及び第２のワイヤＷ１，Ｗ２を矢印Ｖから見て右回り（時計回り）に巻回すると、ワイヤを交差させない限り、第１のワイヤＷ１と第２のワイヤＷ２の同一ターンは、第１のワイヤＷ１が図２における左側（第１の鍔部２１側）、第２のワイヤＷ２が図２における右側（第２の鍔部２２側）に位置することになる。本実施形態においては、非レイヤー部ＮＬにおいて第１のワイヤＷ１と第２のワイヤＷ２が交差するが、その交差回数が偶数であることから、この位置関係は、第１のレイヤー部Ｌ１の全域に亘って維持される。
【００３８】
そして、第３の巻回領域Ａ３において第１のワイヤＷ１と第２のワイヤＷ２を交差させると、第１のワイヤＷ１と第２のワイヤＷ２の位置関係が逆転する。このため、第２の巻回ブロックＢ２においては、第１のワイヤＷ１と第２のワイヤＷ２の同一ターンは、第１のワイヤＷ１が図２における右側（第２の鍔部２２側）、第２のワイヤＷ２が図２における左側（第１の鍔部２１側）に位置することになる。
【００３９】
しかしながら、上述の通り、図１に示す矢印Ｖから見て第３の端子電極４３が右側、第４の端子電極４４が左側に位置することから、第１のワイヤＷ１と第２のワイヤＷ２の終端部を第３及び第４の端子電極４３，４４にそれぞれ接続するためには、第１のワイヤＷ１と第２のワイヤＷ２をもう一度交差させ、両者の位置関係を元に戻す必要がある。本実施形態においては、第２の巻回ブロックＢ２を構成する第１及び第２のワイヤＷ１，Ｗ２のうち、第３及び第４の端子電極４３，４４に最も近い最終の第２４ターンにて、第１のワイヤＷ１と第２のワイヤＷ２を交差させている。
【００４０】
図６は、第２４ターンにて第１のワイヤＷ１と第２のワイヤＷ２が交差する様子を説明するための模式図である。
【００４１】
図６に示すように、矢印Ｖから見た場合、第１の端子電極４１は右側、第２の端子電極４２は左側に位置するため、第１及び第２のワイヤＷ１，Ｗ２を交差させることなく右回り（時計回り）に巻回すると、第１のワイヤＷ１が第１の鍔部２１側、第２のワイヤＷ２が第２の鍔部２２側に位置する。この位置関係は、第２の巻回ブロックＢ２において逆転し、第１のワイヤＷ１が第２の鍔部２２側、第２のワイヤＷ２が第１の鍔部２１側となる。この状態で、第１及び第２のワイヤＷ１，Ｗ２の終端をそれぞれ第３及び第４の端子電極４３，４４に接続しようとすると、矢印Ｖから見て、第３の端子電極４３は右側、第４の端子電極４４は左側に位置するため、符号Ｃで示すように、最終の第２４ターンにおいて第１のワイヤＷ１と第２のワイヤＷ２が交差することになる。
【００４２】
ここで、図７に示すように、第３の端子電極４３と第４の端子電極４４のｙ方向における距離が離れている場合、平面的に見ると（ｚ方向から見ると）、第２４ターンにおいて第１のワイヤＷ１と第２のワイヤＷ２が一見交差しないように見える。しかしながら、この場合には、図８に示すように、巻芯部２３のｘｚ側面（側面２３Ｃ）にて第１のワイヤＷ１と第２のワイヤＷ２が交差することになる。つまり、いずれにしても、第１及び第２のワイヤＷ１，Ｗ２を第２４ターンで交差させることにより、第１のワイヤＷ１と第２のワイヤＷ２の位置関係は元に戻される。
【００４３】
このように、第１及び第２のワイヤＷ１，Ｗ２は、第１及び第２の端子電極４１，４２に接続される一端においては交差せず、第３及び第４の端子電極４３，４４に接続される他端においては１回交差する。このため、第１及び第２のワイヤＷ１，Ｗ２は、一端側における容量成分の付き方と、他端側における容量成分の付き方に差が生じ、このアンバランスが反射特性を悪化させる原因となり得る。しかしながら、本実施形態によるコモンモードフィルタ１０は、第１及び第２のワイヤＷ１，Ｗ２の一端側に非レイヤー部ＮＬを選択的に設けていることから、反射特性が改善される。そのメカニズムについては未だ不明であるものの、非レイヤー部ＮＬを設けることによって、第１及び第２のワイヤＷ１，Ｗ２の一端側における容量成分の付き方と、他端側における容量成分の付き方に新たな差が生じ、これが上記アンバランスの緩和に寄与しているものと考えられる。
【００４４】
しかも、本実施形態においては、非レイヤー部ＮＬにおいて第１のワイヤＷ１と第２のワイヤＷ２を偶数回交差させていることから、これによって高周波特性を微調整することができる。具体的には、図１〜図３に示した構成を有するコモンモードフィルタ１０は、非レイヤー部ＮＬにおける交差回数をゼロとした場合と比べて、ノイズ変換特性（Ｓｓｄ２１特性）を改善することが可能となる。
【００４５】
以上説明したように、本実施形態によるコモンモードフィルタ１０は、第３の巻回領域Ａ３にて第１のワイヤＷ１と第２のワイヤＷ２を交差させていることから、第１の巻回ブロックＢ１と第２の巻回ブロックＢ２の対称性が高められている。そして、第１の巻回ブロックＢ１には非レイヤー部ＮＬが含まれていることから、第２の巻回ブロックＢ２の第２４ターンにおける交差によって生じるアンバランスが緩和され、その結果、反射特性を改善することが可能となる。しかも、非レイヤー部ＮＬにおいて第１のワイヤＷ１と第２のワイヤＷ２を偶数回交差させていることから、その交差位置及び交差回数によって高周波特性を微調整することも可能となる。
【００４６】
特に、本実施形態においては、非レイヤー部ＮＬにおける第１及び第２のワイヤＷ１，Ｗ２のターン数がいずれも１ターンであることから、１０ＭＨｚ〜４００ＭＨｚの帯域における反射特性が改善される。しかも、本実施形態においては、第１の巻回ブロックＢ１に含まれる第１のレイヤー部Ｌ１と第２の巻回ブロックＢ２に含まれる第２のレイヤー部Ｌ２のターン数が等しいことから、第３の巻回領域Ａ３にて第１及び第２のワイヤＷ１，Ｗ２がクロスする部分を対称軸として、第１のレイヤー部Ｌ１と第２のレイヤー部Ｌ２が対称形となる。その結果、より優れた高周波特性を得ることが可能となる。
【００４７】
以下、コモンモードフィルタ１０のいくつかの変形例について説明する。以下に説明する変形例の構造も本発明の権利範囲に含まれるものである。
【００４８】
図９は、第１の変形例によるコモンモードフィルタ１０Ａの巻回レイアウトを説明するための模式図である。
【００４９】
図９に示すコモンモードフィルタ１０Ａは、非レイヤー部ＮＬを構成する第１及び第２のワイヤＷ１，Ｗ２がいずれも２ターンである点において、上記実施形態によるコモンモードフィルタ１０と相違している。この場合、第１及び第２のワイヤＷ１，Ｗ２を第１ターンにおいて偶数回交差させても構わないし、第２ターンにおいて偶数回交差させても構わないし、第１及び第２ターンの両方において偶数回交差させても構わない。第１の変形例が例示するように、非レイヤー部ＮＬを構成する第１及び第２のワイヤＷ１，Ｗ２のターン数は、特に限定されるものではない。非レイヤー部ＮＬを構成する第１及び第２のワイヤＷ１，Ｗ２のターン数は、全体のターン数や目的とする高周波特性に応じて決定すれば良い。
【００５０】
図１０は、第２の変形例によるコモンモードフィルタ１０Ｂの巻回レイアウトを説明するための模式図である。
【００５１】
図１０に示すコモンモードフィルタ１０Ｂは、第２のレイヤー部Ｌ２において、第２のワイヤＷ２が第１の巻回層Ｓ１（下層）に位置し、第１のワイヤＷ１が第２の巻回層Ｓ２（上層）に位置している点において、上記実施形態によるコモンモードフィルタ１０と相違している。第１のワイヤＷ１の第２４ターンについては、第１の巻回層Ｓ１（下層）に位置しているが、これを第２のレイヤー部Ｌ２の一部と見なしても構わない。第２の変形例が例示するように、第１及び第２のワイヤＷ１，Ｗ２の上下関係は、第１のレイヤー部Ｌ１と第２のレイヤー部Ｌ２で逆転しても構わない。これによれば、第１のワイヤＷ１の長さと第２のワイヤＷ２の長さがほぼ等しくなるというメリットがある。
【００５２】
図１１は、第３の変形例によるコモンモードフィルタ１０Ｃの巻回レイアウトを説明するための模式図である。
【００５３】
図１１に示すコモンモードフィルタ１０Ｃは、非レイヤー部ＮＬが第２の巻回ブロックＢ２側に配置されている。具体的には、第１のワイヤＷ１の第１ターン〜第１１ターンと第２のワイヤＷ２の第１ターン〜第１０ターン（又は第１１ターン）が第１のレイヤー部Ｌ１を構成し、第１及び第２のワイヤＷ１，Ｗ２の第１２ターンが交差し、第１のワイヤＷ１の第１３ターン〜第２３ターンと第２のワイヤＷ２の第１４ターン（又は第１３ターン）〜第２３ターンが第２のレイヤー部Ｌ２を構成し、さらに、第１及び第２のワイヤＷ１，Ｗ２の第２４ターンが非レイヤー部ＮＬを構成している。上記実施形態によるコモンモードフィルタ１０と同様、第１及び第２のワイヤＷ１，Ｗ２の第２４ターンは、偶数回交差するとともに、第３及び第４の端子電極４３，４４の近傍で１回交差する。つまり、合計で奇数回交差することになる。或いは、図１２に示すように、巻芯部２３上で第１のワイヤＷ１と第２のワイヤＷ２を３回交差させても構わない。この場合は、第３及び第４の端子電極４３，４４の近傍で１回交差させる必要はなくなる。第３の変形例が例示するように、非レイヤー部ＮＬの位置によっては、交差回数を奇数回としても構わない。
【００５４】
図１３は、第４の変形例によるコモンモードフィルタ１０Ｄの巻回レイアウトを説明するための模式図である。
【００５５】
図１３に示すコモンモードフィルタ１０Ｄは、非レイヤー部ＮＬが第１の巻回ブロックＢ１と第２の巻回ブロックＢ２の両方に配置されている。具体的には、第１及び第２のワイヤＷ１，Ｗ２の第１ターンが非レイヤー部ＮＬを構成し、第１のワイヤＷ１の第２ターン〜第１２ターンと第２のワイヤＷ２の第２ターン〜第１１ターン（又は第１２ターン）が第１のレイヤー部Ｌ１を構成し、第１及び第２のワイヤＷ１，Ｗ２の第１３ターンが交差し、第１のワイヤＷ１の第１４ターン〜第２３ターンと第２のワイヤＷ２の第１５ターン（又は第１４ターン）〜第２３ターンが第２のレイヤー部Ｌ２を構成し、さらに、第１及び第２のワイヤＷ１，Ｗ２の第２４ターンが非レイヤー部ＮＬを構成している。第４の変形例が例示するように、求められる特性によっては、第１の巻回ブロックＢ１と第２の巻回ブロックＢ２の両方に非レイヤー部ＮＬを配置しても構わない。
【００５６】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【００５７】
例えば、上記実施形態では、第１及び第２のワイヤＷ１，Ｗ２を製造時において第１ターンから第２４ターンへと巻回することを前提に説明したが、これとは逆に、第２４ターンから第１ターンへ巻回することによって作製しても構わない。
【符号の説明】
【００５８】
１０，１０Ａ〜１０Ｄ    コモンモードフィルタ
２０    ドラム型コア
２１    第１の鍔部
２２    第２の鍔部
２１ｂ，２２ｂ    実装面
２１ｓ，２２ｓ    外側面
２１ｔ，２２ｔ    上面
２３    巻芯部
２３Ａ，２３Ｃ    側面
２３Ｂ    上面
２３Ｄ    下面
３０    板状コア
４１    第１の端子電極
４２    第２の端子電極
４３    第３の端子電極
４４    第４の端子電極
Ａ１    第１の巻回領域
Ａ２    第２の巻回領域
Ａ３    第３の巻回領域
Ｂ１    第１の巻回ブロック
Ｂ２    第２の巻回ブロック
Ｌ１    第１のレイヤー部
Ｌ２    第２のレイヤー部
ＮＬ    非レイヤー部
Ｓ１    第１の巻回層
Ｓ２    第２の巻回層
Ｗ１    第１のワイヤ
Ｗ２    第２のワイヤ
【図１】
2019121693.tif 000003
【図２】
2019121693.tif 000004
【図３】
2019121693.tif 000005
【図４】
2019121693.tif 000006
【図５】
2019121693.tif 000007
【図６】
2019121693.tif 000008
【図７】
2019121693.tif 000009
【図８】
2019121693.tif 000010
【図９】
2019121693.tif 000011
【図１０】
2019121693.tif 000012
【図１１】
2019121693.tif 000013
【図１２】
2019121693.tif 000014
【図１３】
2019121693.tif 000015